(57)【特許請求の範囲】
【請求項１】
金属製のパネルフレームを有する建築用パネルを建築物本体に向かって引き込む際に用いられる建築用パネル引き込み具であって、
前記パネルフレームの面に対して着脱可能に取り付けられるパネル着脱部と、
該パネル着脱部から前記パネルフレーム側とは反対側に向かって張り出すように設けられ、使用者が把持することが可能な把持部と、を備え、
前記パネル着脱部は、永久磁石を有し、前記パネルフレームの面に対して前記永久磁石を用いて着脱可能に取り付けられ、
前記パネル着脱部に対して前記把持部を回動可能となるように連結する回動軸を備え、
該回動軸は、前記把持部の張り出し方向に延びていることを特徴とする建築用パネル引き込み具。
【請求項２】
金属製のパネルフレームを有する建築用パネルを建築物本体に向かって引き込む際に用いられる建築用パネル引き込み具であって、
前記パネルフレームの面に対して着脱可能に取り付けられるパネル着脱部と、
該パネル着脱部から前記パネルフレーム側とは反対側に向かって張り出すように設けられ、使用者が把持することが可能な把持部と、を備え、
前記パネル着脱部は、永久磁石を有し、前記パネルフレームの面に対して前記永久磁石を用いて着脱可能に取り付けられ、
前記把持部のうち、前記パネル着脱部側とは反対側の部分には、締結部材を締結する際に用いられる締結用穴が設けられていることを特徴とする建築用パネル引き込み具。
【請求項３】
前記パネル着脱部に対して前記把持部を回動可能となるように連結する回動軸を備え、
該回動軸は、前記把持部の張り出し方向に延びていることを特徴とする請求項２に記載の建築用パネル引き込み具。
【請求項４】
前記回動軸は、前記把持部の張り出し方向における前記パネル着脱部を通る軸上に配置されていることを特徴とする請求項１又は３に記載の建築用パネル引き込み具。
【請求項５】
前記回動軸は、第１回動軸であって、
前記パネル着脱部に対して前記把持部を回動可能となるように連結する第２回動軸を備え、
該第２回動軸は、前記把持部の張り出し方向とは交差する交差方向に延びていることを特徴とする請求項１、３、４のいずれか１項に記載の建築用パネル引き込み具。
【請求項６】
前記第２回動軸の少なくとも一部は、前記第１回動軸の延出方向において前記パネル着脱部と重なる位置に配置されていることを特徴とする請求項５に記載の建築用パネル引き込み具。
【発明の詳細な説明】
【技術分野】
【０００１】
本発明は、建築用パネル引き込み具に係り、特に、金属製のパネルフレームを有する建築用パネルを建築物本体に向かって引き込む際に用いられる建築用パネル引き込み具に関する。
【背景技術】
【０００２】
従来、工場にて製造された各種建築用パネルは、例えばパネル積載ラックに平積みされた状態でトラック等の運搬車両に積み込まれて、建築現場に輸送されている。
輸送された建築用パネルは、パネル積載ラックに平積みされた状態から、建築現場に据え付けられたクレーン等によって一端部を吊り上げられ、建て起こすように持ち上げられ、建築物本体に対して組み付けられることになる。
【０００３】
そうした中で、例えば外壁パネルを建築物本体に組み付けるためには、まず吊り上げられた外壁パネルを建築物本体に向かって引き込む必要がある。そして、引き込んだ外壁パネルの下端を建築物本体に対してボルト締結した後、さらに外壁パネルの上端を建築物本体に対してボルト締結することで組み付け作業が完了する。
上記のような外壁パネルを引き込む作業は、外壁パネルよりも屋内側にいる作業者と、外壁パネルよりも屋外側にいる作業者の２名によって通常行われている。
しかしながら、作業者が２名必要であって作業効率が悪い、また狭小地の場合には足場を設置することが出来ず作業者が屋外側に立てない等の問題点から、特許文献１、２のような建築用パネル引き込み具が提案されているところである。
【０００４】
特許文献１に記載のパネル引き寄せ具は、建築用パネルに引っ掛けるための短腕ピックと、作業者の持ち手部分となる長腕ピックとを備えており、長腕ピックが短腕ピックに対してリンク及びユニバーサルジョイントを介して２軸回転可能となるように取り付けられている。
本パネル引き寄せ具を用いることで、作業者１名によって建築用パネルを建築物本体に向かって引き寄せることができる。
【０００５】
また特許文献２に記載のパネル位置調整用治具は、外壁パネル内面の開口部に引っ掛けるためのパネル位置調整治具と、パネル位置調整治具を引き寄せるための引き寄せ装置と、を備えている。
本パネル位置調整用治具を用いることによっても、作業者１名で建築用パネルを建築物本体に向かって引き寄せることができる。
【先行技術文献】
【特許文献】
【０００６】
【特許文献１】実開平３−５２０７９号公報
【特許文献２】特開平９−１９５５１４号公報
【発明の概要】
【発明が解決しようとする課題】
【０００７】
しかしながら、特許文献１、２のようなパネル引き込み具では、外壁パネル等の建築用パネルを保持して引き込むために、パネル引き込み具の先端を当該パネルの裏面に引っ掛ける必要があった。
そのため、建築用パネルの裏面に引っ掛ける部分が存在しないと建築用パネルを安定して引き込むことができず、また建築用パネルを傷つけてしまう虞があった。
【０００８】
また最近では、予め工場内で建築用パネルを完成させておき（予めパネルフレームに仕上げ面材や断熱材等を組みつけておき）、当該完成パネルを建築物本体に対して組み付けていくことで作業効率を向上させた施工方法が注目されている。
上記完成パネルに対して特許文献１、２のようなパネル引き込み具を使用する場合には、当該完成パネルの裏面にある断熱材シートを一度破らないと当該完成パネルの裏面に引っ掛けることができなかった。そうすると、当該完成パネルの組み付け後に断熱材シートを補修しなければならなかった。
そこで、完成された（プレセットされた）建築用パネルに対して用いる場合であっても、当該完成パネルを傷つけてしまう虞がない建築用パネル引き込み具が求められていた。
【０００９】
また、特許文献１のようなパネル引き込み具では、作業者の操作性を確保すべく、作業者の持ち手部分が建築用パネルに引っ掛ける部分に対して回転可能に取り付けられている。しかしながら、作業者の操作性を一層向上させるための工夫が求められていた。
【００１０】
本発明は、上記の課題に鑑みてなされたものであり、本発明の目的は、建築用パネルを建築物本体に向かって引き込む際に、建築用パネルを傷つけることなく安定して引き込むことが可能な建築用パネル引き込み具を提供することにある。
また、本発明の他の目的は、予め完成された（プレセットされた）建築用パネルを引き込む場合であっても、当該完成パネルを傷つけることなく安定して引き込むことが可能な建築用パネル引き込み具を提供することにある。
また、本発明の他の目的は、作業者の操作性を向上させた建築用パネル引き込み具を提供することにある。
【課題を解決するための手段】
【００１１】
前記課題は、本発明の建築用パネル引き込み具によれば、金属製のパネルフレームを有する建築用パネルを建築物本体に向かって引き込む際に用いられる建築用パネル引き込み具であって、前記パネルフレームの面に対して着脱可能に取り付けられるパネル着脱部と、該パネル着脱部から前記パネルフレーム側とは反対側に向かって張り出すように設けられ、使用者が把持することが可能な把持部と、を備え、前記パネル着脱部は、永久磁石を有し、前記パネルフレームの面に対して前記永久磁石を用いて着脱可能に取り付けられ、前記パネル着脱部に対して前記把持部を回動可能となるように連結する回動軸を備え、該回動軸は、前記把持部の張り出し方向に延びていること、により解決される。
上記構成により、建築用パネルを傷つけることなく安定して引き込むことが可能な建築用パネル引き込み具を実現することができる。
具体的に説明すると、パネル着脱部がパネルフレームの面に対して永久磁石を用いて着脱可能に取り付けられるため、建築用パネルに対してワンタッチで容易に装着することができ、かつ、建築用パネルの組み付け後にはワンタッチで容易に取り外すことができる。
また上記構成により、把持部がパネル着脱部に対して回動可能となるように可動するため、作業者の様々な作業姿勢に対応可能なパネル引き込み具となる。
また、パネル着脱部の永久磁石は、比較的強い固定強度が要求される一方で、取り外し易さも要求されるところ、本構成であれば作業者にとってパネル着脱部が着脱し易くなる。
【００１２】
また前記課題は、本発明の建築用パネル引き込み具によれば、金属製のパネルフレームを有する建築用パネルを建築物本体に向かって引き込む際に用いられる建築用パネル引き込み具であって、前記パネルフレームの面に対して着脱可能に取り付けられるパネル着脱部と、該パネル着脱部から前記パネルフレーム側とは反対側に向かって張り出すように設けられ、使用者が把持することが可能な把持部と、を備え、前記パネル着脱部は、永久磁石を有し、前記パネルフレームの面に対して前記永久磁石を用いて着脱可能に取り付けられ、前記把持部のうち、前記パネル着脱部側とは反対側の部分には、締結部材を締結する際に用いられる締結用穴が設けられていること、によっても解決される。
上記構成により、本発明のパネル引き込み具を用いるだけで、建築用パネルを建築物本体に向かって引き込む作業と、建築用パネルを建築物本体に対して組み付ける作業（例えば、ボルト締結する作業）とを達成することができる。
また、締結用穴を利用して、作業者が通常身に着けている安全帯に本発明のパネル引き込み具を取り付けることもできる。
【００１３】
このとき、前記パネル着脱部に対して前記把持部を回動可能となるように連結する回動軸を備え、該回動軸は、前記把持部の張り出し方向に延びていると良い。
このとき、前記回動軸は、前記把持部の張り出し方向における前記パネル着脱部を通る軸上に配置されていると良い。
上記構成により、従来例と比較して作業者の操作性が向上したパネル引き込み具を実現できる。
具体的に説明すると、従来例の場合には、作業者の持ち手部分が、建築用パネルに引っ掛ける部分に対して偏心した位置で首振り回転可能に取り付けられていたため、作業者の意図しないところで建築用パネルから取り外されてしまう虞があった。それに対して永久磁石の性質を考慮した本構成であれば、意図せずにパネル引き込み具が建築用パネルから外れてしまうことを防止できる。
【００１４】
このとき、前記回動軸は、第１回動軸であって、前記パネル着脱部に対して前記把持部を回動可能となるように連結する第２回動軸を備え、該第２回動軸は、前記把持部の張り出し方向とは交差する交差方向に延びていると良い。
上記構成により、２軸回転可能なパネル引き込み具となるため、作業者の操作性が一層向上する。
【００１５】
このとき、前記第２回動軸の少なくとも一部は、前記第１回動軸の延出方向において前記パネル着脱部と重なる位置に配置されていると良い。
上記構成により、作業者の意図しないところで建築用パネルから取り外れてしまうといった従来例と比較して、作業者の操作性が格段に向上したパネル引き込み具となる。
【発明の効果】
【００１７】
本発明の建築用パネル引き込み具によれば、建築用パネルを建築物本体に向かって引き込む際に、建築用パネルを傷つけることなく安定して引き込むことができる。
また、予め完成された（プレセットされた）建築用パネルを引き込む場合であっても、当該完成パネルを傷つけることなく安定して引き込むことができる。
また、作業者の操作性を向上させた建築用パネル引き込み具となる。
【図面の簡単な説明】
【００１８】
【図１】本実施形態の建築用パネル引き込み具の正面図である。
【図２】建築用パネル引き込み具の側面図であり、把持部が第１回動軸を中心として回動することを説明する図である。
【図３】建築用パネル引き込み具の正面図であり、把持部が第２回動軸を中心として回動することを説明する図である。
【図４】建築用パネル引き込み具の側面図であり、パネル着脱部の部分縦断面図である。
【図５】建築用パネルと建築用パネル引き込み具の分解斜視図である。
【図６】建築用パネルを建築物本体に向かって引き込んだ状態を説明する図である。
【図７】建築用パネルを建築物本体に対して組み付けた状態を説明する図である。
【発明を実施するための形態】
【００１９】
以下、本発明の実施形態に係る建築用パネル引き込み具について、図１〜図７を参照しながら説明する。
本実施形態は、金属製のパネルフレームを有する建築用パネルを建築物本体に向かって引き込む際に用いられる建築用パネル引き込み具であって、パネルフレームの面に対して着脱可能に取り付けられるパネル着脱部と、パネル着脱部からパネルフレーム側とは反対側に向かって張り出すように設けられ、作業者が把持することが可能な把持部と、パネル着脱部に対して把持部を回動可能となるように連結する回動軸とを備えており、パネル着脱部はパネルフレームの面に対して永久磁石を用いて着脱可能に取り付けられ、回動軸は、前記把持部の張り出し方向におけるパネル着脱部を通る軸上に配置されていることを特徴とする建築用パネル引き込み具の発明に関するものである。
なお、建築用パネル引き込み具（以下、パネル引き込み具とする。）が建築用パネルに取り付けられたときに、建築用パネルの厚み方向を前後方向とし、建築用パネルの幅方向を左右方向とする。
【００２０】
本実施形態のパネル引き込み具１は、図１〜図４に示すように、建築現場においてクレーンで吊り上げられた建築用パネル３０を建築物本体４０に組み付けるために、建築用パネル３０を建築物本体４０に向かって引き込む際に用いられる治具である。
詳しく言うと、パネル引き込み具１は、図５〜図７に示すように、建築用パネル３０の裏面に対して着脱可能に取り付けられるものであって、屋内側にいる作業者が建築用パネル３０を建築物本体４０に向かって引き込む作業を補助するための治具である。
【００２１】
建築用パネル３０は、図５に示すように、建築物の外壁を構成し、上下方向に長尺な矩形状の外壁パネルであって、建築物の構造体を形成する金属製のパネルフレーム３１と、パネルフレーム３１の上下の端から一部突出した状態でパネルフレーム３１の表面側に固定される仕上げ面材３２と、パネルフレーム３１の裏面に取り付けられるシート状の断熱材３３と、から主に構成されている。
すなわち、建築用パネル３０は予め完成された（プレセットされた）パネルである。
パネルフレーム３１は、断面略コ字形状の長尺な鋼材を矩形状に枠組みすることにより形成されている。枠組みされたパネルフレーム３１によって囲まれる空間内には、グラスウールや発泡ウレタン等からなる不図示の断熱材が充填されている。
仕上げ面材３２は、外装仕上げ面材であって、セラミック系の外壁材や耐水合板等から形成されている。
断熱材３３は、上下方向に長尺なシート状の繊維系断熱材から形成されている。
【００２２】
パネルフレーム３１の上端部分における裏面と、下端部分における裏面とには、それぞれ建築物本体４０に組み付けるための締結部材３１ａ、３１ｂが埋め込まれた状態で取り付けられている。締結部材３１ａ、３１ｂは、それぞれパネルフレーム３１の幅方向に間隔を空けて一対となって設けられ、断熱材３３を貫通して屋内側の外部に露出するように配置されている。
パネルフレーム３１と仕上げ面材３２の間には、上下方向に長尺なボード状の繊維系断熱材からなる断熱材３４が配置されており、また、断熱材３４と仕上げ面材３２の間には、上下方向に長尺な平板形状のスペーサー３５が間隔を空けて複数配置されている。スペーサー３５によってパネルフレーム３１と仕上げ面材３２の間に通気層が形成されている。
すなわち、建築用パネル３０は、屋内側から屋外側に向かって、シート状の断熱材３３、パネルフレーム３１、ボード状の断熱材３４、スペーサー３５、そして仕上げ面材３２の順に配置されて、それぞれ釘等で固定されて構成されている。
【００２３】
パネル引き込み具１は、図１に示すように、建築用パネル３０のうちパネルフレームの３１の裏面に対して着脱可能に取り付けられるパネル着脱部１０と、パネル着脱部１０から建築用パネル３０側とは反対側に向かって張り出すように設けられ、作業者が把持することが可能な把持部２０と、から主に構成されている。
また、パネル引き込み具１は、図１、図３に示すように、パネル着脱部１０に対して把持部２０を回動可能となるように連結し、把持部２０の張り出し方向に沿って延びている第１回動軸１３と、図１、図２に示すように、パネル着脱部１０に対して把持部２０を回動可能に連結し、把持部２０の張り出し方向とは交差（直交）する交差方向（直交方向）に沿って延びている第２回動軸１４と、を備えている。
第１回動軸１３と、第２回動軸１４とは互いに直交する位置で配置されており、また、第１回動軸１３と、第２回動軸１４の延出方向における仮想線とが交わる位置関係となっている。
第１回動軸１３は、パネルフレーム３１の裏面に対して直交する方向に延びており、第２回動軸１４は、パネルフレーム３１の裏面に対して平行となるように延びている。
すなわち、パネル引き込み具１は、把持部２０がパネル着脱部１０に対して２軸回転可能に取り付けられた治具となっている。
【００２４】
パネル着脱部１０は、図２、図４に示すように、建築用パネル３０（パネルフレーム３１）の面に対して永久磁石１５を用いて着脱可能に取り付けられる部分である。
詳しく言うと、パネル着脱部１０は、建築用パネル３０に当接するように設けられた着脱部本体１１と、着脱部本体１１のうち把持部２０側の面に取り付けられた略リング形状の回動体１２と、着脱部本体１１に対して回動体１２を回動可能に連結する第１回動軸１３と、回動体１２に対して把持部２０を回動可能に連結する第２回動軸１４と、から主に構成されている。
【００２５】
着脱部本体１１のうち回動体１２側とは反対側の面には、図４に示すように、着脱部本体１１の中心部分において第１回動軸１３が貫通して嵌め込まれている。また、第１回動軸１３を囲む位置において永久磁石１５及び弾性リング１６が嵌め込まれている。
永久磁石１５は、リング形状のフェライト磁石であって、ゴム製の弾性リング１６によって挟まれた状態で着脱部本体１１内部に収容されている。
着脱部本体１１、第１回動軸１３、永久磁石１５及び弾性リング１６の表面は、略面一となるように形成されている。
【００２６】
回動体１２の中心部分には、図４に示すように、第１回動軸１３及び弾性リング１７が貫通して嵌め込まれている。
また、回動体１２の外表面には一対の軸穴が形成され、図２に示すように、当該軸穴に対して第２回動軸１４が嵌め込まれている。
回動体１２は、第１回動軸１３を軸支した状態で着脱部本体１１と軸ナット１８の間に挟まれている。
なお、着脱部本体１１と回動体１２の間、及び、回動体１２と軸ナット１８の間には、それぞれ回動体１２の摺動性を高めるための摺動部材１９（例えば、スラストワッシャー）が取り付けられている。
【００２７】
把持部２０は、図２、図３に示すように、作業者が把持するための部分であって、パネル着脱部１０から所定方向に延びている把持部本体２１と、把持部本体２１のうちパネル着脱部１０側の一端部とは反対側の他端部に設けられた取り付け体２２と、から主に構成されている。
取り付け体２２は、把持部本体２１の他端部に第３回動軸２３を介して回動可能となるように連結されている。
また、取り付け体２２の中央部分には、第３回動軸２３の軸方向とは交差（直交）する方向に貫通するように設けられ、不図示の締結部材（例えば締結ボルト）を締結する際に用いられる締結用穴２４が形成されている。
【００２８】
上記構成において、図１、図３に示すように、第２回動軸１４の少なくとも一部は、第１回動軸の延出方向においてパネル着脱部１０のうち着脱部本体１１と重なる位置に配置されている。
そのため、作業者の操作性が向上したパネル引き込み具１となっている。
具体的に説明すると、例えば、第２回動軸１４が当該延出方向においてパネル着脱部１０と重ならない位置に配置された場合には（把持部２０がパネル着脱部１０に対して偏心した位置で首振り回転するように取り付けられていた場合には）、作業者の意図しないところでパネル引き込み具１が建築用パネル３０から外れてしまう虞がある。
それに対して、永久磁石の性質を考慮した本構成であれば、意図せずにパネル引き込み具１が建築用パネル３０から外れてしまうことを防止できる。
【００２９】
また上記構成において、図１、図４に示すように、第１回動軸１３と、パネル着脱部１０の中心部分と、把持部２０の中心部分とが、把持部２０の張り出し方向において同軸上に配置されている（重なる位置に配置されている）。
そのため、永久磁石の性質を一層考慮した構成となり、作業者の操作性が一層向上したパネル引き込み具１となる。
【００３０】
また上記構成において、図１に示すように、把持部２０の取り付け体２２には締結用穴２４が形成されている。そのため、締結用穴２４を利用して、建築用パネル３０を建築物本体４０に対して組み付ける作業（例えば、締結部材３１ａ、３１ｂをボルト締結する作業）を達成できる。また、締結用穴２４を利用して、作業者が通常身に着けている安全帯にパネル引き込み具１を取り付けることもできる。
【００３１】
次に、パネル引き込み具１を用いて、建築用パネル３０を建築物本体４０に対して組み付ける方法を図６、図７に基づいて説明する。
まずは、屋内側にいる作業者が、クレーンで吊り上げられた建築用パネル３０の下方部分に対してパネル引き込み具１を取り付ける。
パネル引き込み具１の取り付け後、作業者がその作業姿勢に応じて把持部２０の回動位置を調整しながら、建築用パネル３０の下方部分を建築物本体４０に向かって引き込む。
このとき、建築用パネル３０の下端にある一対の締結部材３１ｂを、建築物本体４０の締結金具４１にある締結穴に挿し込むことで、建築用パネル３０を仮締結することができる。なお、一対の締結部材３１ｂは、好ましくはフックボルトであると良い。
【００３２】
そして建築用パネル３０の下端を仮締結後、図７に示すように、建築用パネル３０の上方部分に対してパネル引き込み具１を取り付ける。
パネル引き込み具１の取り付け後、作業者がその作業姿勢に応じて把持部２０の回動位置を調整しながら、建築用パネル３０の上方部分を建築物本体４０に向かって引き込む。
このとき、建築用パネル３０の上端にある一対の締結部材３１ａを、建築物本体４０の締結金具４２にある締結穴に挿し込んでボルトナットで締結することで、建築用パネル３０を組み付けることができる。
なお、ボルトナットで締結する際には、パネル引き込み具１の締結用穴２４を利用することができる。
【００３３】
上記作業方法であれば、建築用パネル３０を建築物本体４０に向かって引き込む際に、建築用パネル３０を傷つけることなく安定して引き込むことができる。
また、予め完成された（プレセットされた）建築用パネル３０を引き込む場合であっても、当該完成パネルを傷つけることなく安定して引き込むことができる。
また、作業者の操作性を格段に向上させることができる。
【００３４】
＜その他の実施形態＞
上記実施形態では、図６、図７に示すように、建築用パネル３０の実施例として外壁パネルを建築物本体４０に向かって引き込むためにパネル引き込み具１が用いられているが、外壁パネルに特に限定されることなく広く利用可能である。
例えば天井パネルや床パネル、内壁パネル等の建築用パネルや、梁等の鉄骨部材からなる建築用パネルを引き込む際にこのパネル引き込み具１が用いられても良い。
【００３５】
また上記実施形態では、図５に示すように、建築用パネル３０の実施例として予め完成された（プレセットされた）完成パネルが用いられているが、完成パネルに特に限定されることなく利用可能である。すなわち、パネルフレーム３１を少なくとも有している建築用パネルであれば適用可能である。
【００３６】
また上記実施形態では、図５に示すように、パネル着脱部２０が建築用パネル３０の裏面に対して単に当接するように設けられているが、パネル着脱部２０の当接面に対して弾性の高いパッドのような弾性部材が新たに取り付けられていても良い。
このようにすれば、パネル引き込み具１を建築用パネル３０に取り付けたときに、パネルフレーム３１や断熱材３３の損傷、破損を防止することができる。
【００３７】
上記実施形態では、主として本発明に係る建築用パネル引き込み具に関して説明した。
ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
【符号の説明】
【００３８】
１  パネル引き込み具（建築用パネル引き込み具）
１０  パネル着脱部
１１  着脱部本体
１２  回動体
１３  第１回動軸（回動軸）
１４  第２回動軸
１５  永久磁石
１６、１７  弾性リング
１８  軸ナット
１９  摺動部材
２０  把持部
２１  把持部本体
２２  取り付け体
２３  第３回動軸
２４  締結用穴
３０  建築用パネル
３１  パネルフレーム
３１ａ、３１ｂ  締結部材
３２  仕上げ面材
３３、３４  断熱材
３５  スペーサー
４０  建築物本体
４１  締結金具
【図１】
0006730831.tif 000002
【図２】
0006730831.tif 000003
【図３】
0006730831.tif 000004
【図４】
0006730831.tif 000005
【図５】
0006730831.tif 000006
【図６】
0006730831.tif 000007
【図７】
0006730831.tif 000008